(57)【特許請求の範囲】
【請求項１】
目標コンテンツメッセージをモバイルデバイスに配信する方法において、
前記方法は、
第１の企業によって所有されるフェムトセル基地局の有効範囲領域内の企業のセットを識別して、収集された情報を生成させることと、
前記フェムトセル基地局を通して、前記モバイルデバイスから呼確立インジケータに対する要求を受信することと、
前記収集された情報に応じて、目標コンテンツメッセージを識別し、前記目標コンテンツメッセージを識別することは、前記フェムトセル基地局を所有する前記第１の企業以外の企業に対する目標コンテンツメッセージのセットを生成させることを含むことと、
前記目標コンテンツメッセージのセット中の各目標コンテンツメッセージに対する配信優先順位を決定することと、
前記決定した配信優先順位にしたがって、前記目標コンテンツメッセージのセットから、前記呼確立インジケータの一部として、目標コンテンツメッセージを前記モバイルデバイスに送信することとを含み、
前記決定した配信優先順位は、表示がネットワークエンティティに対して高い収入を発生させる目標コンテンツメッセージの最初の配信を与え、
前記決定した配信優先順位にしたがって、目標コンテンツメッセージを送信することは、
所与の音の期間の間に、前記セットからの第２の目標コンテンツメッセージよりも高い決定した配信優先順位を有する、前記セットからの第１の目標コンテンツメッセージを、前記モバイルデバイスに送信することと、
前記第１の目標コンテンツメッセージの送信の後で、前記第２の目標コンテンツメッセージを送信するのに十分な量の時間が、前記所与の音の期間中に残っているか否かを決定し、前記時間が十分であると決定した場合、前記第２の目標コンテンツメッセージを前記モバイルデバイスに送信し、そうでなければ、前記第２の目標コンテンツメッセージを送信しないこととを含む方法。
【請求項２】
前記収集された情報の一部として、前記モバイルデバイスを利用する発呼者のプロファイルを識別することをさらに含む請求項１記載の方法。
【請求項３】
テキストメッセージの一部として、前記目標コンテンツメッセージのうちの少なくとも１つを前記モバイルデバイスに送信することをさらに含む請求項１記載の方法。
【請求項４】
目標コンテンツメッセージの画像を有するマルチメディアメッセージングサービスメッセージの一部として、前記目標コンテンツメッセージのうちの少なくとも１つを前記モバイルデバイスに送信することをさらに含む請求項１記載の方法。
【請求項５】
呼出期間の間に、前記目標コンテンツメッセージのうちの少なくとも１つを前記モバイルデバイスに送信することをさらに含み、
前記送信することは、少なくとも１つの呼出音の代わりに、前記少なくとも１つの目標コンテンツメッセージを挿入する請求項１記載の方法。
【請求項６】
被呼デバイスに着信音を送信することと、前記モバイルデバイスに前記呼出音を送信することとをさらに含み、
前記モバイルデバイスに前記呼出音を送信することは、
被呼デバイスが前記着信音を受信するより先に、前記モバイルデバイスが前記呼出音の代わりに前記目標コンテンツメッセージを受信するように、前記呼出音を遅らせることを含む請求項５記載の方法。
【請求項７】
目標コンテンツメッセージをモバイルデバイスに配信する装置において、
前記装置は、
第１の企業によって所有されるフェムトセル基地局の有効範囲領域内の企業のセットを識別して、収集された情報を生成させる手段と、
前記フェムトセル基地局を通して、前記モバイルデバイスから呼確立インジケータに対する要求を受信する手段と、
前記収集された情報に応じて、目標コンテンツメッセージを識別し、前記目標コンテンツメッセージを識別することは、前記フェムトセル基地局を所有する前記第１の企業以外の企業に対する目標コンテンツメッセージのセットを生成させることを含む手段と、
前記目標コンテンツメッセージのセット中の各目標コンテンツメッセージに対する配信優先順位を決定する手段と、
前記決定した配信優先順位にしたがって、前記目標コンテンツメッセージのセットから、前記呼確立インジケータの一部として、目標コンテンツメッセージを前記モバイルデバイスに送信する手段とを具備し、
前記決定した配信優先順位は、表示がネットワークエンティティに対して高い収入を発生させる目標コンテンツメッセージの最初の配信を与え、
前記決定した配信優先順位にしたがって、目標コンテンツメッセージを送信する手段は、
所与の音の期間の間に、前記セットからの第２の目標コンテンツメッセージよりも高い決定した配信優先順位を有する、前記セットからの第１の目標コンテンツメッセージを、前記モバイルデバイスに送信する手段と、
前記第１の目標コンテンツメッセージの送信の後で、前記第２の目標コンテンツメッセージを送信するのに十分な量の時間が、前記所与の音の期間中に残っているか否かを決定し、前記時間が十分であると決定した場合、前記第２の目標コンテンツメッセージを前記モバイルデバイスに送信し、そうでなければ、前記第２の目標コンテンツメッセージを送信しない手段とを備える装置。
【請求項８】
前記収集された情報の一部として、前記モバイルデバイスを利用する発呼者のプロファイルを識別する手段をさらに具備する請求項７記載の装置。
【請求項９】
テキストメッセージの一部として、追加の目標コンテンツメッセージを前記モバイルデバイスに送信する手段をさらに具備する請求項７記載の装置。
【請求項１０】
目標コンテンツメッセージの画像を有するマルチメディアメッセージングサービスメッセージの一部として、追加の目標コンテンツメッセージを前記モバイルデバイスに送信する手段をさらに具備する請求項７記載の装置。
【請求項１１】
呼出期間の間に、前記目標コンテンツメッセージのうちの少なくとも１つを前記モバイルデバイスに送信する手段をさらに具備し、
前記送信することは、少なくとも１つの呼出音の代わりに、前記少なくとも１つの目標コンテンツメッセージを挿入する請求項７記載の装置。
【請求項１２】
被呼デバイスに着信音を送信し、前記モバイルデバイスに前記呼出音を送信する手段をさらに具備し、
前記モバイルデバイスに前記呼出音を送信することは、
被呼デバイスが前記着信音を受信するより先に、前記モバイルデバイスが前記呼出音の代わりに前記目標コンテンツメッセージを受信するように、前記呼出音を遅らせることを含む請求項１１記載の装置。
【請求項１３】
目標コンテンツメッセージをモバイルデバイスに配信する装置において、
前記装置は、
第１の企業によって所有されるフェムトセル基地局の有効範囲領域内の企業のセットを識別して、収集された情報を生成させ、前記収集された情報に応じて、目標コンテンツメッセージを識別するように構成され、前記目標コンテンツメッセージを識別することに、前記フェムトセル基地局を所有する前記第１の企業以外の企業に対する目標コンテンツメッセージのセットを生成させることを含めるようにさらに構成され、前記目標コンテンツメッセージのセット中の各目標コンテンツメッセージに対する配信優先順位を決定するようにさらに構成されている識別装置と、
前記フェムトセル基地局を通して、前記モバイルデバイスから呼確立インジケータに対する要求を受信するように構成され、前記決定した配信優先順位にしたがって、前記目標コンテンツメッセージのセットから、前記呼確立インジケータの一部として、目標コンテンツメッセージを前記モバイルデバイスに送信するように構成されているトランシーバとを具備し、
前記決定した配信優先順位は、表示がネットワークエンティティに対して高い収入を発生させる目標コンテンツメッセージの最初の配信を与え、
前記トランシーバは、
所与の音の期間の間に、前記セットからの第２の目標コンテンツメッセージよりも高い決定した配信優先順位を有する、前記セットからの第１の目標コンテンツメッセージを、前記モバイルデバイスに送信し、
前記第１の目標コンテンツメッセージの送信の後で、前記第２の目標コンテンツメッセージを送信するのに十分な量の時間が、前記所与の音の期間中に残っているか否かを決定し、前記時間が十分であると決定した場合、前記第２の目標コンテンツメッセージを前記モバイルデバイスに送信し、そうでなければ、前記第２の目標コンテンツメッセージを送信しないようにさらに構成されている装置。
【請求項１４】
前記識別装置は、前記収集された情報の一部として、前記モバイルデバイスを利用する発呼者のプロファイルを識別するようにさらに構成されている請求項１３記載の装置。
【請求項１５】
前記トランシーバは、テキストメッセージの一部として、追加の目標コンテンツメッセージを前記モバイルデバイスに送信するようにさらに構成されている請求項１３記載の装置。
【請求項１６】
前記トランシーバは、目標コンテンツメッセージの画像を有するマルチメディアメッセージングサービスメッセージの一部として、追加の目標コンテンツメッセージを前記モバイルデバイスに送信するようにさらに構成されている請求項１３記載の装置。
【請求項１７】
前記トランシーバは、呼出期間の間に、前記目標コンテンツメッセージのうちの少なくとも１つを前記モバイルデバイスに送信するようにさらに構成されており、
前記送信することは、少なくとも１つの呼出音の代わりに、前記少なくとも１つの目標コンテンツメッセージを挿入する請求項１３記載の装置。
【請求項１８】
前記トランシーバは、被呼デバイスに着信音を送信し、前記モバイルデバイスに前記呼出音を送信するようにさらに構成されており、
前記モバイルデバイスに前記呼出音を送信することは、
被呼デバイスが前記着信音を受信するより先に、前記モバイルデバイスが前記呼出音の代わりに前記目標コンテンツメッセージを受信するように、前記呼出音を遅らせることを含む請求項１７記載の装置。
【請求項１９】
コンピュータ読取可能な記録媒体において、
少なくとも１つのコンピュータに、第１の企業によって所有されるフェムトセル基地局の有効範囲領域内の企業のセットを識別させて、収集された情報を生成させるためのコードと、
少なくとも１つのコンピュータに、前記フェムトセル基地局を通して、モバイルデバイスから呼確立インジケータに対する要求を受信させるためのコードと、
少なくとも１つのコンピュータに、前記収集された情報に応じて、目標コンテンツメッセージを識別させ、前記目標コンテンツメッセージを識別することに、前記フェムトセル基地局を所有する前記第１の企業以外の企業に対する目標コンテンツメッセージのセットを生成させることを含ませるためのコードと、
少なくとも１つのコンピュータに、前記目標コンテンツメッセージのセット中の各目標コンテンツメッセージに対する配信優先順位を決定させるためのコードと、
少なくとも１つのコンピュータに、前記決定された配信優先順位にしたがって、前記目標コンテンツメッセージのセットから、前記呼確立インジケータの一部として、目標コンテンツメッセージを前記モバイルデバイスに送信させるためのコードとを含み、
前記決定された配信優先順位は、表示がネットワークエンティティに対して高い収入を発生させる目標コンテンツメッセージの最初の配信を与え、
前記少なくとも１つのコンピュータに目標コンテンツメッセージを送信させるためのコードは、
少なくとも１つのコンピュータに、所与の音の期間の間に、前記セットからの第２の目標コンテンツメッセージよりも高い決定された配信優先順位を有する、前記セットからの第１の目標コンテンツメッセージを、前記モバイルデバイスに送信させるためのコードと、
少なくとも１つのコンピュータに、前記第１の目標コンテンツメッセージの送信の後で、前記第２の目標コンテンツメッセージを送信するのに十分な量の時間が、前記所与の音の期間中に残っているか否かを決定させ、前記時間が十分であると決定された場合、前記第２の目標コンテンツメッセージを前記モバイルデバイスに送信させ、そうでなければ、前記第２の目標コンテンツメッセージを送信させないためのコードとを含むコンピュータ読取可能な記録媒体。
【請求項２０】
少なくとも１つのコンピュータに、前記収集された情報の一部として、前記モバイルデバイスを利用する発呼者のプロファイルを識別させるためのコードをさらに含む請求項１９記載のコンピュータ読取可能な記録媒体。
【請求項２１】
テキストメッセージの一部として、追加の目標コンテンツメッセージを前記モバイルデバイスに送信するためのコードをさらに含む請求項２０記載のコンピュータ読取可能な記録媒体。
【請求項２２】
目標コンテンツメッセージの画像を有するマルチメディアメッセージングサービスメッセージの一部として、追加の目標コンテンツメッセージを前記モバイルデバイスに送信するためのコードをさらに含む請求項２０記載のコンピュータ読取可能な記録媒体。
【請求項２３】
前記少なくとも１つのコンピュータに目標コンテンツメッセージを送信させるためのコードは、
前記少なくとも１つのコンピュータに、呼出期間の間に、前記目標コンテンツメッセージのうちの少なくとも１つを前記モバイルデバイスに送信させるためのコードを含み、
前記送信させることは、少なくとも１つの呼出音の代わりに、前記少なくとも１つの目標コンテンツメッセージを挿入させる請求項１９記載のコンピュータ読取可能な記録媒体。
【請求項２４】
少なくとも１つのコンピュータに、被呼デバイスに着信音を送信させ、前記モバイルデバイスに前記呼出音を送信させるためのコードをさらに含み、
前記モバイルデバイスに前記呼出音を送信させることは、
被呼デバイスが前記着信音を受信するより先に、前記モバイルデバイスが前記呼出音の代わりに前記目標コンテンツメッセージを受信するように、前記呼出音を遅らせることを含む請求項２３記載のコンピュータ読取可能な記録媒体。
【発明の詳細な説明】
【技術分野】
【０００１】
以下の説明は、一般に、ワイヤレス通信に関し、より詳細には、モバイル電話などのモバイルデバイスによって利用されるフェムトセル基地局の位置に基づいて、クーポンと、その他の目標コンテンツメッセージとをそれらのモバイルデバイスに配信することに関する。
【背景技術】
【０００２】
目標コンテンツメッセージは、カスタマが店に戻り、その店でクーポンを商品と引き換えるように促すのを助けるために、企業によって使用される広告方策などのクーポンを含むことが可能である。クーポンは商品またはサービスの購入からの値引きを提供できるため、カスタマにとって主なインセンティブは節約である。通常、製造会社および小売業者は、新聞、チラシ、および郵便チラシを介してクーポンを配布する。
【０００３】
近年、広告主は、クーポンを配信するために、インターネットを使用することを選んでいる。インターネットクーポンは、印刷可能クーポンおよびクーポンコードとして、ユーザのデスクトップコンピュータでユーザに配信される。印刷可能クーポンは、自宅のコンピュータから印刷可能であり、地元の店で使用可能な、インターネット上で利用可能なクーポンを含む。クーポンコードは、主に、オンライン注文書式の一部に入力可能なコード番号である。このコードは、カスタマがオンライン支払を行う前に、購入合計に適用可能なクーポンを保証する。インターネット上でクーポンを配信することは、企業がそのサービスを広告し、カスタマがお金を節約するための有用な方法であるが、カスタマがその店の近くにいるとき、カスタマがその店に入るよう彼らの気を引くということになると、その成功は限られている。
【発明の概要】
【０００４】
開示されるのは、モバイルデバイスの位置に基づいて、目標コンテンツメッセージをモバイルデバイスに配信するための方法を実施するためのシステムである。このシステムは、収集された情報を作成するために、フェムトセル基地局の有効範囲領域内の企業のセットを識別することが可能である。このシステムは、フェムトセル基地局を介して、モバイルデバイスから呼確立インジケータ（call establishment indicator）に関する要求を受信することが可能である。目標コンテンツメッセージは、収集された情報に応じて識別可能である。さらに、目標コンテンツメッセージは、次いで、呼確立インジケータの一部として、モバイルデバイスに送信可能である。
【図面の簡単な説明】
【０００５】
【図１】１つの例示的なワイヤレス通信システム１００を示す図。
【図２】電気通信システム２００を示す概略図。
【図３】建物３００を示す図。
【図４】クーポンをモバイルデバイスに配信するためのシステム４００を示すブロック図。
【図５】システム４００を利用して、クーポンをモバイルデバイスに配信するための方法５００を例示する図。
【図６】本明細書で教示される通信ハンドオフを円滑にするように構成された装置のいくつかのサンプル態様を示す簡素化されたブロック図。
【発明を実施するための形態】
【０００６】
慣例によれば、図面に例示される様々な特徴は、原寸に比例していない場合がある。したがって、様々な特徴の寸法は、分かりやすくするために、適宜、拡張または縮小される場合がある。加えて、図面のうちのいくつかは、分かりやすくするために、簡素化される場合がある。したがって、図面は、所与の装置（例えば、デバイス）または所与の方法の構成要素のすべてを示さない場合がある。最終的に、明細書および図面を通して、類似の特徴を示すために、類似の参照番号が使用される場合がある。
【０００７】
次に、図面を参照して様々な態様が説明される。以下の説明において、説明のために、１つまたは複数の態様の十分な理解をもたらす目的で、多くの特定の詳細が記載される。しかし、それらの特定の詳細なしに（１つまたは複数の）かかる態様を実行することが可能である点は明らかであろう。その他の場合、よく知られている構造およびデバイスは、それらの態様の説明を円滑にするために、ブロック図の形で示される。
【０００８】
本出願において使用される場合、「構成要素」、「モジュール」、「システム」などの用語は、コンピュータ関連のエンティティ、すなわち、ハードウェア、ファームウェア、ソフトウェア、または実行中のハードウェア、ファームウェア、および／もしくはソフトウェアの組合せを指すことが意図される。例えば、構成要素は、プロセッサ上で実行しているプロセス、プロセッサ、オブジェクト、実行可能物、実行のスレッド、プログラムおよび／またはコンピュータであってよいが、これらに限定されない。例として、コンピューティングデバイス上で実行しているアプリケーションと、コンピューティングデバイスは両方とも構成要素であり得る。１つもしくは複数の構成要素は、プロセス内および／または実行のスレッド内に常駐してよく、構成要素は１つのコンピュータ上に局在化されてよく、かつ／あるいは２つ以上のコンピュータの間に分散されてもよい。加えて、これらの構成要素は、様々なデータ構造を格納した様々なコンピュータ可読媒体から実行することが可能である。これらの構成要素は、１つもしくは複数のデータパケット（例えば、ローカルシステム内、分散型システム内の別の構成要素と、かつ／またはインターネットなど、ネットワークの全域で信号によって他のシステムと相互作用している１つの構成要素からのデータ）を有する信号に従ってなど、局所プロセスおよび／または遠隔プロセスによって通信することが可能である。
【０００９】
さらに、モバイルデバイスに関して様々な態様が本明細書で説明される。モバイルデバイスは、システム、加入者ユニット、加入者局、モバイル電話、移動局、モバイル、ワイヤレス端末、デバイス、遠隔局、遠隔端末、アクセス端末、ユーザ端末、端末、ワイヤレス通信デバイス、ワイヤレス通信装置、ユーザエージェント、ユーザデバイス、またはユーザ装置（ＵＥ）と呼ばれる場合もあり、これらの機能性のうちのいくつかもしくはすべてを含むことが可能である。モバイルデバイスは、セルラ電話、セルラモバイルデバイス、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドセット、電話、ハンドヘルドコンピューティングデバイス、衛星ラジオ、ワイヤレスモデムカードおよび／またはワイヤレスシステム上で通信するための別の処理デバイスであってよい。さらに、基地局に関して様々な態様が本明細書で説明される。基地局は、（１つまたは複数の）ワイヤレス端末と通信するために利用可能であり、アクセスポイント、ノードＢ、またはいくつかのその他のネットワークエンティティと呼ばれる場合もあり、それらの機能性のうちのいくつかまたはすべてを含むことも可能である。
【００１０】
様々な態様または特徴は、いくつかのデバイス、構成要素、モジュールなどを含むことが可能なシステムの点から提示される。これらの様々なシステムは、追加のデバイス、構成要素、モジュールなどを含んでよく、かつ／または図面に関して議論されるそれらのデバイス、構成要素、モジュールなどのすべてを含まなくてもよい点を理解および認識されたい。これらのアプローチの組合せも使用されることができる。
【００１１】
「例示的」という用語は、本明細書において、「例、事例、または例示としての機能する」ことを意味するために使用される。本明細書で「例示的」として説明される任意の実施形態は、他の実施形態に勝って、好ましいまたは有利であると解釈されるとは限らない。本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに関して使用され得る。「ネットワーク」および「システム」という用語は、多くの場合、交換可能に使用される。ＣＤＭＡネットワークは、ユニバーサル地上無線アクセス（ＵＴＲＡ）、ｃｄｍａ２０００などの無線技術を実装することが可能である。ＵＴＲＡは、広帯域ＣＤＭＡ（Ｗ―ＣＤＭＡ）と、低チップレート（ＬＣＲ）とを含む。ｃｄｍａ２０００は、ＩＳ−２０００標準と、ＩＳ−９５標準と、ＩＳ−８５６標準とをカバーする。ＴＤＭＡネットワークは、モバイル通信用グローバルシステム（ＧＳＭ（登録商標））などの無線技術を実装することが可能である。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することが可能である。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを使用する、ＵＭＴＳの次回のリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられた団体からの文書において説明される。ｃｄｍａ２０００は、「第３世代パートナーシッププロジェクト２」（３ＧＰＰ２）と名付けられた団体からの文書において説明される。３ＧＰＰは、国際電気通信連合（ＩＴＵ）のインターナショナルモバイルテレコミュニケーション２０００（International Mobile Telecommunications-2000）プロジェクトの範囲内で世界的に適用可能な第３世代（３Ｇ）モバイル電話システム仕様を作るための電気通信協会のグループ間のコラボレーションである。３ＧＰＰ２は、ＩＴＵのインターナショナルモバイルテレコミュニケーション２０００（ＩＭＴ−２０００）プロジェクトの範囲内で世界的に適用可能な第３世代（３Ｇ）モバイル電話システム仕様を作るための電気通信協会間のコラボレーションである。これらの様々な無線技術や標準は、当技術分野において知られている。
【００１２】
図１は、１つの例示的なワイヤレス通信システム１００を示す。例示的なワイヤレス通信システム１００は、何人かのユーザの通信ニーズをサポートするように構成可能であり、様々な開示される実施形態および態様が実装可能である。図１に示されるように、例として、システム１００は、例えば、マクロセル１０２ａ〜１０２ｇなど、複数のセル１０２に通信を提供する。それぞれのマクロセル１０２は、１つまたは複数の基地局によってサービス提供されるワイヤレス通信システム１００内の無線有効範囲の領域である。ワイヤレス通信システム１００は、大きな地理的領域を介してサービスを提供することが可能であり、例えば、マクロセル１０２ａ〜１０２ｇは、近隣内の少数のブロックをカバーすることが可能である。
【００１３】
それぞれのマクロセル１０２は、マクロセル基地局など、（ＡＰ１０４ａ〜１０４ｇなど）対応するアクセスポイント（ＡＰ）１０４によってサービス提供され得る。マクロセル基地局は、その局が比較的多数のモバイルデバイスからワイヤレス信号を受信できる、約５キロメートルの屋外のセルサイトをカバーするために、通常、数十ワットの電力出力を利用することが可能である。マクロセル用のアンテナは、地上のマスト上、屋上、およびその他の既存の構造物上に、周囲の建物および地形を介して鮮やかな視野を提供する高さに取付けることが可能である。
【００１４】
それぞれのマクロセル１０２は、１つまたは複数のセクタにさらに分割され得る。ＡＴ１０６ａ〜１０６ｋを含む様々なアクセス端末（ＡＴ）１０６は、ユーザ装置（ＵＥ）または移動局としても交換可能に知られており、システムを通じて分散され得る。モバイル電話として、これらのアクセス端末は、電波伝送を介して電話網と接続可能な携帯電話を含むことが可能である。それぞれのＡＴ１０６は、例えば、そのＡＴがアクティブであるかどうか、そのＡＴがソフトハンドオフ状態にあるかどうかに応じて、所与の時点で、順方向リンク（ＦＬ）上および／または逆方向リンク（ＲＬ）上で１つもしくは複数のＡＰ１０４と通信することが可能である。
【００１５】
フェムトセル基地局は、加えて、システムを通じて分散され得る。フェムトセル基地局は、２００〜３００メートルまで数十の屋内セルサイトをカバーすることが可能な小型の、ボックスサイズのデバイスである。フェムトセル基地局の主な利点は、企業、事務所、または自宅の中およびそれらの近くのユーザが、その建物の壁がその信号をかなり弱めることになることを懸念せずに、そのモバイルデバイスを使用することを可能にする点である。
【００１６】
図２は、電気通信システム２００の概略図である。電気通信システム２００は、通信のために、ある距離にわたって信号を伝送するのを助ける目的で、独立しているが、相関する要素のグループを含むことが可能である。電気通信システム２００は、陸線２０４と、マクロセル基地局２０６と、フェムトセル基地局２０８とを含めて、様々な様式でアクセス可能な電気通信ネットワーク２０２を含むことが可能である。
【００１７】
電気通信ネットワーク２０２は、複数のリンクを介して、かつ様々なノードを介して、ネットワークのある部分から別の部分にメッセージを送信することが可能であるように構成された電気通信リンクおよびノードのネットワークであり得る。電気通信ネットワーク２０２は、コンピュータネットワークと、グローバル「ネットワークのネットワーク」としてインターネットネットワークと、公衆電話交換網と、グローバルテレックスネットワークと、航空エアクラフトコミュニケーションアドレッシングアンドレポーティングシステムネットワーク（aeronautical Aircraft Communications  Addressing and Reporting System network）とを含むことが可能である。加えて、電気通信ネットワーク２０２は、制御情報と、ネットワークのユーザからのトラヒックと、ネットワーク管理のために必要とされる運用管理トラヒックとを搬送することが可能である。
【００１８】
地上回線２０４は、金属線、光ファイバ、またはその他の固体媒体２０５を介して伝わることが可能な信号を介して電気通信ネットワーク２０２と通信可能な加入電話回線であってよい。主線および固定回線としても知られている地上回線２０４は、そのシグナリングと、音声情報とが絶縁線のより対線上で処理され得る電話を含み得る。より対線は、電磁干渉および漏話を除去するのに、非より対線（untwisted pair）よりもより効果的な可能性がある。
【００１９】
マクロセル基地局２０６は、固定位置に設置され、半径３マイル（５キロメートル）内などの屋外有効範囲をモバイルデバイス信号２１０に提供するためのアンテナを有する塔であってよい。マクロセル基地局２０６は、基地局コントローラ（ＢＳＣ）／モバイルスイッチングセンター（ＭＳＣ）２１２と、アクセス制御２１４とを介して電気通信ネットワーク２０２にアクセスすることが可能である。ＢＳＣ／ＭＳＣ２１２の基地局コントローラ部分は、多くの異なる低容量接続が、モバイルスイッチングセンターに向けて、より少数の接続に減数される集線装置として機能し得る。アクセス制御２１４は、ＢＳＣ／ＭＳＣ２１２と電気通信ネットワーク２０２との間の信号の通路を画定することまたは制限することが可能である。
【００２０】
フェムトセル基地局２０８は、建物３００など、居住環境内および小企業環境内で、またはそれらの環境の近くで使用するための、より小さなセルラ基地局であり得る。フェムトセル基地局２０８は、サービスプロバイダが、特に、通常なら、アクセスが制限されるか、または利用可能でない屋内のセルラサービス有効範囲を拡張することを可能にし得る。加えて、フェムトセル基地局２０８は、その信号がマクロセルの信号よりもより強力な可能性があるフェムトセル基地局２０８にたまたま近接しているセルラユーザにサービスを提供することが可能である。一例では、フェムトセル基地局２０８は、モバイルであることが意図されず、固定位置内に常駐することが意図されるデバイスであってよい。
【００２１】
フェムトセル基地局２０８は、バックホール２１６と、ゲートウェイ／モバイルスイッチングセンター（ＭＳＣ）２１８と、アクセス制御２２０とを介して、電気通信ネットワーク２０２と通信することが可能である。バックホール２１６は、ゲートウェイ／ＭＳＣ２１８とフェムトセル基地局２０８とによって提供される分散されたサイト間でトラヒックを移送することが可能である。通常、フェムトセル基地局２０８は、ＤＳＬルータまたはケーブルモデムを経由して、インターネットと、セルラオペレータのネットワークとに接続され得る。一例では、バックホール２１６は、消費者が所有するディジタル加入者線（ＤＳＬ）、ケーブル、およびファイバリンクのうちの少なくとも１つを含み得る。ゲートウェイ／ＭＳＣ２１８およびアクセス制御２２０は、それぞれ、ＢＳＣ／ＭＳＣ２１２およびアクセス制御２１４と同じように機能することが可能である。ＢＳＣ／ＭＳＣ２１２およびゲートウェイ／ＭＳＣ２１８は、信号経路２２２を介して、信号を前後に送信することが可能である。ＤＳＬまたはケーブルなど、消費者が所有するバックホールも使用する、消費者が設置したフェムトセルに呼を導くことによって、セルラネットワークオペレータは、資本および運営経費のかなりの節約を実現することが可能である。
【００２２】
加入者の位置に設置されたパーソナルミニチュア基地局として、フェムトセル基地局２０８は、無線アクセスネットワーク（ＲＡＮ）機能性（例えば、ＢＴＳ、ＢＳＣ、ＰＤＳＮ）を用いて、限定数のユーザにサービスを提供することが可能である。フェムトセル基地局２０８は、複数の受信者とＰＳＴＮ接続された通常の有線電話システムまたはコードレス電話システムに類似するサービスを提供することが可能である。フェムトセル基地局２０８の例示的な機能性は、ノードＢと、無線ネットワークコントローラ（ＲＮＣ）と、バックホール用のＥｔｈｅｒｎｅｔ（登録商標）を有する汎用パケット無線サービス（ＧＰＲＳ）サポートノード（ＳＧＳＮ）とを含むユニバーサルモバイル電気通信システム（ＵＭＴＳ）フェムトセルである。フェムトセル基地局２０８は、加えて、ＧＳＭ、ｃｄｍａ２０００、時分割同期符号分割多元接続（ＴＤ−ＳＣＤＭＡ）およびワールドワイドインターオペラビリティフォーマイクロウェーブアクセス（Worldwide Interoperability for Microwave Access）（ＷｉＭＡＸ）解決策などの標準を組み込むことが可能である。
【００２３】
図３は、建物３００の概略図である。建物３００は、商店街、オフィスビル、または住宅など、屋根と壁とを有する構造であってよい。議論のために、建物３００は、図３において、店舗３０４および店舗３０６などの小売区画（retail units）３０２と、訪問客３１０がある店舗３０２から次の店舗まで楽に歩くことを可能にするための相互に接続された通路３０８とを有する商店街３００として示される。小売区画３０２は、商品またはサービスを販売するための店舗を含むことが可能である。通路３０８は、歩行のために確保された通路を含むことが可能である。訪問客３１０は、商売またはその他の取引のために建物３００に入った人々、建物３００内の領域の所有者または持主の要請によりその活動を実行することが可能な免許所有者など、招待客を含み得る。訪問客３１０は、訪問している人物および従業員も含み得る。
【００２４】
建物３００は、複数のフェムトセル基地局２０８を含むことが可能である。例えば、建物３００の所有者は、その従業員および訪問客３１０のワイヤレス通信ニーズにサービス提供するために、フェムトセル基地局３１２から３２８を設置することが可能である。小売区画３０２の経営者は、その自らの従業員および訪問者３１０のワイヤレス通信ニーズにサービス提供するために、フェムトセル基地局を設置することが可能である。例えば、店舗３０４は、フェムトセル基地局３３０を含むことが可能である。
【００２５】
フェムトセル基地局３１２から３２８と、フェムトセル基地局３３０とを含むフェムトセル基地局２０８は、建物３００内および建物３００近くのモバイルデバイス２２４（図２）にサービス提供することが可能である。例えば、商店街が所有するフェムトセル基地局３１２は、フェムトセルサービス領域３３２内のモバイルデバイス２２４にサービス提供することが可能であり、経営者が所有するフェムトセル基地局３００は、フェムトセルサービス領域３３４内のモバイルデバイス２２４にサービス提供することが可能である。フェムトセルサービス領域３３２およびフェムトセルサービス領域３３４はそれぞれ、その中でモバイルデバイス２２４が、それぞれ、フェムトセル基地局３１２およびフェムトセル基地局３３０と通信可能な地理的領域であり得る。フェムトセル基地局２０８は、事業環境において、通常、最高で８個までのモバイルデバイス２２４をサポートすることが可能である。一例では、フェムトセル基地局２０８は、モバイルデバイス２２６（ハンドセット２、すなわちＨ１）（図２）と、モバイルデバイス２２８（ハンドセット３、すなわちＨ２）と、モバイルデバイス２３０（ハンドセット３、すなわちＨ３）とをサポートすることが可能である。
【００２６】
フェムトセル基地局２０８は、９ｋＨｚから３００ＧＨｚのワイヤレススペクトルの特定の部分内で単一のワイヤレスサービスプロバイダの通信サービスをブロードキャストすることが可能である。これらのワイヤレスサービスプロバイダは、Ｔ−Ｍｏｂｉｌｅ（登録商標）、Ｓｐｒｉｎｔ（登録商標）、Ｖｅｒｉｚｏｎ（登録商標）、およびＡＴ＆Ｔ（登録商標）を含み得る。商店街３００内のそれぞれのフェムトセル基地局３１４は、ワイヤレス計画に特定であり得る。一例では、フェムトセル基地局３１４は、ＡＴ＆Ｔ（登録商標）カスタマのための第１のフェムトセル基地局と、Ｖｅｒｉｚｏｎ（登録商標）カスタマのための第２の隣接するフェムトセル基地局とを含むことが可能である。
【００２７】
動作中、建物３００は、マクロセル基地局信号２３２を介してマクロセル基地局２０６とモバイルデバイス２２４との間の合理的な接続を防止することが可能である。例えば、建物３００の内壁、外壁、および窓は、結果として、進んだ経路にわたって信号電力損失をもたらす場合がある。フェムトセル基地局２０８が建物３００内に設置されるとき、モバイルデバイス２２４は、最小限の電力損失を伴って、モバイルデバイス信号２３４を介して、もっぱらフェムトセル基地局２０８と通信することが可能である。一例では、モバイルデバイス２２４は、およそ２．５秒ごとに、フェムトセル基地局２０８からの信号を監視するために、わずかなエネルギーを使用することが可能である。
【００２８】
フェムトセル基地局２０８は、その企業フェムトセル基地局として、特定のフェムトセル基地局２０８に事前に登録されたモバイルデバイス２２４のワイヤレス通信ニーズにサービス提供することが可能である。事前に登録されたモバイルデバイスは、商店街の所有者、商店街内の店舗の経営者、およびそれらの企業の従業員のモバイルデバイスを含み得る。加えて、フェムトセル基地局２０８は、訪問モバイルデバイスのワイヤレス通信ニーズにサービス提供することが可能である。この場合、特定の店舗３０２で作業をするために配属された作業員に属するモバイル電話は、企業電話と見なされてよく、一方、ゲスト、訪問客、商店街が所有するフェムトセル基地局３１２または経営者が所有するフェムトセル基地局３３０のワイヤレス通信有効範囲領域を通過する人々のモバイル電話は、訪問モバイルデバイスと見なされてよい。
【００２９】
人々が商店街のフェムトセルサービス領域３３２および経営者のフェムトセルサービス領域３３４に出入りするにつれて、そのモバイルデバイス２２４は、フェムトセルサービス領域２０２を出入りすることが可能である。したがって、所与のフェムトセルサービス領域内のすべてのモバイルデバイス２２４のセットの構成は、経時的に変更し得る。加えて、いくつかのフェムトセル基地局は、特定のワイヤレスプロバイダに加入しているモバイルデバイスだけにサービス提供することになる。例えば、第１のフェムトセル基地局３１６は、Ｖｅｒｉｚｏｎ（登録商標）ワイヤレスサービスプランを維持するモバイルデバイス２２４だけにサービス提供することが可能であり、一方、第２の隣接するフェムトセル基地局３１６は、Ｓｐｒｉｎｔ（登録商標）ワイヤレスサービスプランを維持するモバイルデバイス２２４だけにサービス提供することが可能である。一例では、建物３００は、建物３００内のそれらのモバイル電話加入者にサービスを提供するのに十分なフェムトセル基地局２０８を含むことが可能である。
【００３０】
図４は、クーポンをモバイルデバイスに配信するためのシステム４００のブロック図である。図５は、システム４００を利用して、クーポンをモバイルデバイスに配信するための方法５００を例示する。方法５００は、発呼者４０２の位置に基づいて、目標コンテンツメッセージを配信することが可能である。
【００３１】
システム４００および方法５００において、モバイルデバイス２２４を維持しているユーザなど、発呼者４０２は、モバイルデバイスを表し得る。事業プロバイダ４０４は、電気通信ネットワーク２０２と通信中であり得るフェムトセル基地局２０８を所有し、これを運用することが可能である。発呼者４０２は、事業プロバイダ４０４によって操作されたフェムトセル基地局２０８によって搬送され得る呼出しを行うことが可能である。広告サーバ４０６は、クーポン４１０を格納しているクーポンデータベース４０８を維持することが可能である。クーポン４１０は、テキストメッセージを介して送信されることになる完全クーポン、またはマルチメディアメッセージングサービス（ＭＭＳ）メッセージとして送信可能な、走査可能なバーコードを有するクーポンの画像など、様々な形でフォーマットされていることが可能な様々な形で格納された目標コンテンツメッセージであってよい。システム４００は、位置情報４１６と、発呼者情報４１８と、企業情報４２０とを保管することが可能なプロファイルデータベース４１４を有する電気通信プロバイダ４１２をさらに含むことが可能である。電気通信プロバイダ４１２は、ネットワークエンティティ４１２であってよい。システム４００および方法５００は、ワイヤレス通信システム１００および／または電気通信システム２００の一部もしくはすべてを利用することが可能である。
【００３２】
方法５００は、ステップ５０２から開始することが可能である。ステップ５０４において、ネットワークエンティティ４１２は、フェムトセル基地局２０８の有効範囲領域内の企業およびその他の小売区画３０２を識別することが可能である。一般に、小売区画３０２は、そのモバイルデバイスの電話番号を特定のフェムトセル基地局２０８に事前に登録していることになり、かかる電話番号の位置が知られている場合があり、今度は、所与のフェムトセル基地局２０８の位置が知られている場合がある。加えて、所与のフェムトセル基地局２０８は、いくつかのモバイルデバイス２２４からワイヤレス要求を受信することが可能である。所与のフェムトセル基地局２０８が特定のモバイルデバイス２２４から受信する要求が多ければ多いほど、かかるモバイルデバイス２２４がその所与のフェムトセル基地局２０８の主な利用者になる可能性はますます高まる。Ｇａｐ（登録商標）店舗に属するモバイルデバイス、およびＳｅｅ’ｓ  Ｃａｎｄｙ（登録商標）店舗に属するモバイルデバイスなど、事前に登録されたモバイルデバイス２２４に関する情報は、位置情報４１６内に格納され得る。決定されると、小売区画３０２のこのセットは、通常、経時的に変更しないことになる。
【００３３】
マクロセル１０２基地局は、モバイルデバイス位置を２００〜３００メートル範囲内に限定することが可能であり、フェムトセル基地局２０８の有効範囲領域は、２０〜３０メートル（１０から３０メートル）であり得る。そのような小さな領域内に位置する訪問客３１０は、１つのフェムトセル基地局によってサービス提供され得る、訪問者３１０の間近に位置する２０ほどの小売区画３０２にかなり関心を持つ可能性がある。今度は、特定の訪問者３１０の間近に位置する２０ほどの小売区画３０２は、販売を望んで、訪問者３１０をその店舗に誘うことに関心を持つ可能性がある。
【００３４】
方法５００は、そのブロードキャストの有効性を高めながら、ブロードキャストされることになるコンテンツの量を制限するために、フェムトセル基地局２０８によって提供される小さな目標領域を活用することが可能である。例えば、フェムトセル基地局が、アメリカの衣類およびアクセサリ小売店Ｔｈｅ  Ｇａｐ、Ｉｎｃ．（登録商標）の近くに位置し、そのエクスポート可能なプロファイルがその電話所有者が３０歳未満であることを表示する場合、その店舗が店舗の前を通る、エクスポート可能なプロファイルを有するモバイル電話を携帯しているすべての人がＧａｐ（登録商標）クーポンを受信することを望むと仮定する。この場合、広い地理的領域をカバーすることに加えて、数百のセル電話に対処するために、かなりの数のタスクを実行するマクロセル基地局からではなく、比較的少数のタスクを実行しているフェムトセル基地局からそのようなコンテンツの配信を管理することはより容易な可能性がある。
【００３５】
クーポン４１０およびその他の目標コンテンツメッセージは、訪問者３１０がそのモバイルデバイス２２４を使っているときに送信されるべきである。例えば、目標コンテンツメッセージ４１０は、発呼者４０２が、一般に、通常なら、発信音または呼出音を受信することになるときに送信可能である。発信音は、電話交換が作動していることと、オフフック（off-hook）を認識したことと、呼を受け入れる状態にあることとを表示するために使用される電話信号を含む。呼出音は、電話をかけた後で、その呼が受信側で応答されるのに先立って、発呼者が加入電話回線上で聞くことが可能な可聴リンギング(audible ringing)である。呼出音がリンギング信号と同期していない可能性はあるが、呼出音はリンギング信号が被呼者の回線上で送信されていることを発呼者に保証するのに役立つ。呼出音は、リンギング音または話し中の信号音であってよい。発呼者４０２がカリフォルニア州のサンディエゴからイリノイ州のシカゴに電話をかけた場合、その音はシカゴではなく、カリフォルニアのある場所で生成されることになる可能性が高いという点で、発信音と呼出音は両方とも局所的に生成可能である。発呼者４０２は、発信音または呼出音のどちらかを受信することは可能であるが、発信音と呼出音を同時に受信することは可能でない。
【００３６】
ステップ５０６において、方法５００は、発呼者４０２がフェムトセル基地局２０８を介して発信音を要求したかどうかを決定することが可能である。通常、発呼者４０２は、モバイルデバイス２２４がフェムトセル基地局２０８との通信に従事できるように、モバイルデバイス２２４上の「オン」ボタンを押して発信音を要求できる。加えて、発呼者４０２は、電話をかけることを実際に望まずに、または通話を実際に実行せずに、モバイルデバイス２２４上の「オン」ボタンを押すことによって、この説明される方法によってクーポンが配信されることを単に追求できる。このようにして、方法５００は、これまで収入を創出しなかった事象、すなわち、発信音を、モバイル電話加入サービスの支払特徴を実施せずに、収入を創出する事象に変換することが可能である。
【００３７】
発呼者４０２が発信音を要求した場合、方法４００は、ステップ５１０に進んでよい。発呼者４０２が発信音を要求していない場合、方法４００は、ステップ５０８において、発呼者４０２がフェムトセル基地局２０８を介して呼出音を要求したかどうかを決定することが可能である。通常、発呼者４０２は、電話番号をモバイルデバイス２２４内に入力した後で、モバイルデバイス２２４上で「送信」ボタンを押すことによって、呼出音を要求することが可能である。発呼者４０２が呼出音を要求していない場合、方法４００は、ステップ５０６に戻ってよい。発呼者４０２が呼出音を要求した場合、方法４００は、ステップ５１０に進んでよい。
【００３８】
ステップ５１０において、ネットワークエンティティ４１２は、ネットワークエンティティ４１２がプロファイルデータベース４１４内に発呼者４０２に関する識別情報４１８を有するかどうかを決定することが可能である。発呼者４０２に関する識別情報の例は、識別性（例えば、名前、年齢、性別）と、選好と、好き嫌いとを含めて、発呼者のプロファイルのエクスポート可能なバージョンであってよい。発呼者４０２のプロファイルは、ユーザの行動に関する情報（ユーザが過去にどの店舗を訪問したか、ユーザが購入した製品）と、モバイルサービス登録詳細と、発呼者４０２によって自発的に提供された情報とを含み得る。エクスポート可能なプロファイルは、モバイルデバイス２２４からネットワークエンティティ４１２に伝わった可能性がある。加えて、ネットワークエンティティ４１２は、モバイルデバイス２２４の電話番号に関してこれまで編集されたプロファイルデータを有することが可能である。
【００３９】
ネットワークエンティティ４１２が、ステップ５１０において、ネットワークエンティティ４１２が発呼者４０２に関する追加の情報を有することを決定した場合、方法５００は、収集された情報４２２として位置情報４１６と発呼者情報４１８の両方と共に、ステップ５１２に進んでよい。ネットワークエンティティ４１２が、ステップ５１０において、ネットワークエンティティ４１２が発呼者４０２に関する追加の情報を有さないことを決定した場合、方法５００は、収集された情報４２２として、事業プロバイダ４０４およびフェムトセル基地局２０８の近くに位置するその他の企業に関する位置情報４１６と共に、ステップ５１２に進んでよい。
【００４０】
ステップ５１２において、方法５００は、クーポンセット４２４を取得するために、収集された情報４２２をクーポンデータベース４０８内のクーポン４１０と比較することが可能である。一般に、クーポンセット４２４は、発呼者４０２の近接する物理的位置に応じてよく、より詳細には、フェムトセル基地局２０８の有効範囲領域内の企業と、フェムトセル基地局２０８を利用している発呼者４０２のプロファイルの両方に応じてよい。それぞれのクーポンは、値引きと、モバイルデバイスを使用している発呼者４０２が発呼者４０２の間近の目標事業プロバイダのうちの１つにそのクーポンを戻して、商品と引き換えるためのその他のインセンティブとを含むことが可能である。クーポンセット４２４は、事業プロバイダ４０４のクーポンを含むことが可能であり、事業プロバイダ４０４の近くに位置する、すなわち、フェムトセル基地局２０８を利用する、その他のサービスプロバイダに関するクーポンを含むことが可能である。クーポンセット４２４は、非クーポン広告を含めて、任意の目標コンテンツメッセージを含むことが可能であり、音声特徴と、視覚特徴と、振動性特徴または触覚的特徴とを含むことが可能である。
【００４１】
ステップ５１４において、方法５００は、クーポンセット４２４に関するクーポン配信優先順位を確立することが可能である。このクーポン配信優先順位は、ネットワークエンティティ４１２に対してなど、どの目標コンテンツメッセージ４１０が最も収入を生み出す見込みがあるかに基づき得る。例えば、クーポンセット４２４がＧａｐ（登録商標）クーポンとＳｅｅ’ｓ  Ｃａｎｄｙ（登録商標）クーポンの両方を含み、Ｓｅｅ’ｓ  Ｃａｎｄｙ（登録商標）クーポンの配信がネットワークエンティティ４１２にとってより多くの表示収入を生むことになる場合、まず、Ｓｅｅ’ｓ  Ｃａｎｄｙ（登録商標）クーポンをモバイルデバイス２２４に配信することが可能であり、その音の周期の間に十分な時間が残っている場合、次いで、Ｇａｐ（登録商標）クーポンを配信することが可能である。
【００４２】
ステップ５１６において、方法５００は、２つ以上の企業に関するテキストメッセージクーポンを発呼者４０２に送信するかどうかを決定することが可能である。この２つ以上の企業に関するクーポンは、事業プロバイダ４０４、すなわち、フェムトセル基地局２０８の所有者に関するクーポンと、事業プロバイダ４０４の近くに位置するプロバイダに関するクーポンとを含むことが可能である。事業プロバイダ４０４が目標コンテンツメッセージ表示収入をネットワークエンティティ４１２と分け合う場合、フェムトセル基地局２０８を介して、事業プロバイダ４０４の近くに位置するプロバイダに関するクーポンを提供する動機を事業プロバイダ４０４に与えることができる。方法５００が２つ以上の企業に関するテキストメッセージクーポンを送信することを決定した場合、方法５００は、ステップ５２２に進み、それらのテキストメッセージクーポンを発呼者４０２によって利用されているモバイルデバイス２２４に送信することが可能である。これらのクーポンは、それぞれのサービスプロバイダに関するクーポンと共に、テキストメッセージの形で、ネットワークエンティティ４１２によって発呼者４０２に送信可能である。方法５００が、２つ以上の企業に関するクーポンを送信しないことを決定した場合、方法５００は、ステップ５１８に進んでよい。
【００４３】
ステップ５１８において、方法５００は、フェムトセル基地局２０８を所有している目標サービスプロバイダに関するテキストメッセージクーポンを発呼者４０２に送信するかどうかを決定することが可能であり、すなわち、方法５００は、ステップ５１８において、事業プロバイダ４０４のみに関するテキストメッセージクーポンを発呼者４０２に送信するかどうかを決定することが可能である。方法５００が事業プロバイダ４０４に関するテキストメッセージクーポンを発呼者４０２に送信することを決定した場合、方法５００は、ステップ５２２に進み、そのテキストメッセージクーポンを発呼者４０２によって利用されているモバイルデバイスに送信することが可能である。この場合、ネットワークエンティティ４１２は、例えば、Ｇａｐ（登録商標）に関するクーポンを伴うテキストメッセージを発呼者４０２に送信することが可能である。方法５００が事業プロバイダ４０４に関するテキストメッセージクーポンを発呼者４０２に送信しないことを決定した場合、方法５００は、ステップ５２０に進んでよい。
【００４４】
ステップ５２０において、方法５００は、クーポン画像を発呼者４０２に送信するかどうかを決定することが可能である。方法５００がクーポン画像を発呼者４０２に送信することを決定した場合、方法５００は、ステップ５２２に進み、走査可能なバーコードを伴うクーポンの画像と共に、マルチメディアメッセージングサービス（ＭＭＳ）メッセージを発呼者４０２に送信することが可能である。方法５００がクーポン画像を発呼者４０２に送信しないことを決定した場合、方法５００はステップ５０６に戻ってよい。
【００４５】
呼確立インジケータは、ワイヤレス通信に注意を引くため、かつ場合によっては、ワイヤレス通信をもたらすためのプロセスにおけるステップを特徴づけるために利用される任意の信号を含むことが可能である。例えば、本明細書で使用される場合、呼確立インジケータは、発信音と呼出音の両方を含み得る。ステップ５２２において、方法５００は、クーポンなどの目標コンテンツメッセージを発呼者４０２に送信することが可能である。このクーポンは、発信音または呼出音などの呼確立インジケータの代わりに、フェムトセル基地局２０８を介して発呼者４０２のモバイルデバイス２２４に配信され得る。例えば、発信呼設定音または呼出設定音を置換することによって、呼出音を聞く代わりに、発呼者４０２は、「お呼出しの間に、お使いのお電話で受信されたばかりの半額クーポンが使えるすぐお近くのＡｕｎｔｉｅ  Ａｎｎｅ’ｓ  Ｐｒｅｔｚｅｌｓ（登録商標）にお立ち寄りください」という呼確立インジケータを聞くことが可能である。
【００４６】
もう１つの例では、方法５００は、発呼者４０２に隣接する企業に関する広告を聞く見返りに、電話呼出しに関する割引を組み込むことが可能である。例えば、発呼者４０２は、Ｒｕｂｙ  Ｔｕｅｓｄａｙ’（登録商標）レストランが目に入る場所に物理的にいる間に、「最初の３分間、Ｒｕｂｙ  Ｔｕｅｓｄａｙ’ｓ（登録商標）レストランの電話呼出しのご挨拶をお楽しみください」を聞くことが可能である。このような申し出は、商店街３００内のその現在の位置から、自らの電話呼出しに関する割引を取得することが可能な、フェムトセル基地局２０８ワイヤレス通信有効範囲領域内に移動する動機を発呼者に与えることが可能である。潜在的なカスタマを所与のフェムトセル基地局２０８によってサービス提供される小売店３０２のセットに近づけることによって、方法５００は、かかるカスタマがそれらの小売店に入る可能性をより高めることが可能であり、これは小売店３０２のセットにとって望ましい結果である。この例の下で、商店街３００内のフェムトセル基地局２０８の数が増大するにつれて、カスタマが目標コンテンツメッセージ内に含まれた申し出を利用するために特定の店舗の直前または当該店舗内に立つ必要がある地点に関してなど、所与のフェムトセル基地局２０８に関する有効範囲領域を削減することが可能である。この場合、それぞれの小売店３０２は、その広告予算の一部として、その独自の比較的安価なフェムトセル基地局２０８を望む可能性がある。
【００４７】
呼出リズム（ring cadence）は、２秒のリンギングの後に４秒の沈黙が続いてよい。一例では、クーポンが発呼者４０２に伝達され得る時間は、８秒以上、２０秒未満であってよい。しかし、クーポンが発呼者４０２に伝達される時間は、そのメッセージを伝達するのに十分長いが、発呼者４０２の忍耐に負担がかからない長さとすべきである。もう１つの例では、クーポンが発呼者４０２に伝達され得る時間は、５秒以上、７秒未満であってよい。発呼者４０２が聞く呼出音は被呼者が聞くリンギング信号と同期しない可能性があるため、クーポンパケットは、発呼者４０２が呼出音を聞くときから、呼を受信する人物がリンギング信号を聞くときまでの間の時間遅延を余儀なくさせるコーディングを含むことが可能である。これは、方法５００が、クーポンが発呼者４０２に伝達され得る所定の時間を実現することを可能にし得る。ステップ５２２から、方法５００は、ステップ５０６に戻ってよい。
【００４８】
図６は、本明細書で教示される通信ハンドオフを円滑にするように構成された装置のいくつかのサンプル態様の簡素化されたブロック図である。本明細書で説明される構成要素は、様々な形で実装可能である。図６を参照すると、装置６００は、一連の相関する機能ブロックとして表される。機能ブロック図は、入力変数および出力変数が接続線によってブロックに接続可能であり、ブロックの出力も別のブロックの入力に接続可能な基本ブロックのセットを利用して、入力変数と出力変数との間の機能を説明することが可能である。いくつかの態様では、これらのブロックの機能性は、１つまたは複数のプロセッサ構成要素を含む処理システムとして実装可能である。いくつかの態様では、これらのブロックの機能性は、例えば、１つまたは複数の集積回路（例えば、ＡＳＩＣ）の少なくとも一部を使用して実装可能である。本明細書で議論される場合、集積回路は、プロセッサ、ソフトウェア、その他の関連構成要素、またはそれらのいくつかの組合せを含み得る。これらのブロックの機能性は、本明細書で教示される、いくつかのその他の形で実装されることも可能である。装置６００は、様々な図面に関して上で説明された機能のうちの１つまたは複数を実行することが可能な１つまたは複数のモジュールを含むことが可能である。装置６００は、それぞれが装置６００の他の要素と通信可能であるように構成された、識別手段６０２と、決定手段６０４と、送信手段６０６と、受信手段６０８とを含むことが可能である。識別手段６０２および決定手段６０４の出力は、送信手段６０６と受信手段６０８との間で送信可能である。
【００４９】
識別手段６０２は、例えば、フェムトセル基地局と現在通信可能であり、その独自の識別子がフェムトセル基地局内に事前に登録されたモバイルデバイスなど、かつ本明細書で議論されるようなモバイルデバイスセット識別子に対応し得る。識別手段６０２は、本明細書で議論されるようなプロセッサに対応し得る。このプロセッサは、アップリンク上で信号を監視するように受信機に命令して、その受信機によって受信された任意の信号を処理するようにプロセッサに命令することが可能である。このプロセッサは、受信された信号の復調および復号を試みることが可能である。このプロセッサは、獲得された信号に関係する情報を生成することが可能である。このプロセッサは、中央処理ユニットであってよく、コンピュータプログラムを実行することが可能な機械であってもよい。
【００５０】
決定手段６０４は、例えば、本明細書で議論されるようなプロセッサに対応し得る。決定手段６０４は、例えば、本明細書で議論されるような信号プロセッサに対応し得る。このプロセッサは、受信された呼が、目標モバイルデバイスの独自の識別子およびフェムトセル基地局独自の識別子のうちの１つを含むかどうかを決定することが可能である。このプロセッサは、その呼が第２のモバイルデバイス向けである場合、第２のモバイルデバイスがページングメッセージに応答したかどうかを決定することが可能である。このプロセッサは、第２のモバイルデバイスがその呼に応答しなかった場合、第１のモバイルデバイスがページングメッセージに応答したかどうかを決定することが可能であり、第２のモバイルデバイスがそのページングメッセージに応答し、第１のモバイルデバイスがそのページングメッセージに応答した場合、第１のモバイルデバイスをフェムトセル基地局とのトラヒックチャネルから切断するかどうかを決定することが可能であり、フェムトセル基地局内で電話会議特徴が可能にされているかどうかを決定することが可能である。加えて、このプロセッサは、第１のモバイルデバイスがそのページングメッセージに応答した場合、第２のモバイルデバイスがそのページングメッセージに応答するのを妨害するかどうかを決定することが可能である。
【００５１】
送信手段６０６は、例えば、本明細書で議論されたフェムトセル基地局からページングメッセージを送信するためのトランシーバなどのデバイスに対応し得る。送信手段６０６は、例えば、本明細書で議論されたコントローラに対応し得る。受信手段６０８は、例えば、本明細書で議論されたフェムトセル基地局内で呼を受信するためのトランシーバに対応し得る。受信手段６０８は、例えば、本明細書で議論された通信コントローラに対応し得る。あるトランシーバは、他のトランシーバと通信すること、および他のノードと通信することが可能である。それぞれのトランシーバは、信号を送信するためのそれぞれの送信機と、信号を受信するためのそれぞれの受信機とを含むことが可能である。それぞれのトランシーバは、１つまたは複数のアナログ信号を提供するために、それぞれの情報流れを受信および処理することが可能であり、伝送に適した変調信号を提供するために、それらのアナログ信号をさらに条件付け（例えば、増幅、フィルタリング、およびアップコンバート）する。トランシーバは、送信機および受信機のうちの少なくとも１つを含むことが可能であり、この場合、送信機および受信機は、組み合わされて、共通の回路または単一のハウジングを共有することが可能である。
【００５２】
本明細書は本発明の特定の例を説明するが、当業者は、本発明の概念から逸脱せずに、本発明の改変形態を考案することが可能である。例えば、本明細書の教示は、回線交換網要素を参照するが、パケット交換領域ネットワーク要素に等しく適用可能である。
【００５３】
当業者は、情報および信号は、様々な異なる技術および技法のうちのいずれかを使用して表現され得る点を理解されよう。例えば、上の説明を通じて参照される場合がある、データ、命令、コマンド、情報、信号、ビット、シンボル、およびチップは、電圧、電流、電磁波、磁界もしくは磁粉、光場もしくは光学粒子、またはそれらの任意の組合せによって表現され得る。
【００５４】
当業者は、本明細書で開示された例に関して説明された様々な例示的な論理ブロック、モジュール、回路、方法、およびアルゴリズムは、電子ハードウェア、コンピュータソフトウェア、またはそれらの組合せとして実装され得る点をさらに理解されよう。ハードウェアとソフトウェアのこの交換可能性を明瞭に例示するために、様々な例示的な構成要素、ブロック、モジュール、回路、方法、およびアルゴリズムは、その機能性の点から一般に上で説明されている。かかる機能性がハードウェアとして実装されるか、またはソフトウェアとして実装されるかは、特定の用途と、システム全体に課せられる設計制約とに依存する。当業者は、それぞれの説明特定の用途に関して、説明された機能性を様々な形で実装することが可能であるが、かかる実装決定は、本発明の範囲からの逸脱を引き起こすものと解釈されるべきではない。
【００５５】
本明細書で開示された例に関して説明された様々な例示的な論理ブロック、モジュール、および回路は、汎用プロセッサ、ディジタル信号プロセッサ（ＤＳＰ）、特定用途向け集積回路（ＡＳＩＣ）、フィールドプログラマブルゲートアレー（ＦＰＧＡ）もしくはその他のプログラマブル論理デバイス、ディスクリートゲートもしくはトランジスタ論理、ディスクリートハードウェア構成要素、または本明細書で説明された機能を実行するように設計された、それらの任意の組合せを用いて実装可能であるか、あるいは実行可能である。汎用プロセッサは、マイクロプロセッサであってよいが、代替では、このプロセッサは、任意の通常のプロセッサ、コントローラ、マイクロコントローラ、または状態機械(state machine)であってよい。プロセッサは、コンピューティングデバイスの組合せ、例えば、ＤＳＰとマイクロプロセッサの組合せ、複数のマイクロプロセッサ、ＤＳＰコアと共に１つもしくは複数のマイクロプロセッサ、または任意のその他のかかる構成としても実装可能である。加えて、少なくとも１つのプロセッサは、上で説明されたステップおよび／または動作のうちの１つもしくは複数を実行するように動作可能な１つもしくは複数のモジュールを備えることが可能である。
【００５６】
本明細書で説明された例に関して説明された方法およびアルゴリズムは、ハードウェアの形で直接的に、プロセッサによって実行されるソフトウェアモジュールの形で、またはそれら２つの組合せの形で実施可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている任意のその他の形態の記憶媒体の中に常駐し得る。記憶媒体は、プロセッサがその記憶媒体から情報を読み取り、その記憶媒体に情報を書き込むことができるように、プロセッサに結合され得る。代替では、この記憶媒体は、プロセッサと一体であってもよい。このプロセッサおよびこの記憶媒体は、ＡＳＩＣ内に常駐し得る。加えて、いくつかの態様では、方法またはアルゴリズムのステップおよび／もしくは動作は、コンピュータプログラム製品内に組み込まれることが可能な機械可読媒体上ならびに／またはコンピュータ可読媒体上に１つのコードもしくは命令、あるいはコードおよび／もしくは命令の任意の組合せまたはセットとして常駐し得る。
【００５７】
本明細書で言及されたシステムの一部またはすべては、その上／その中に命令を格納した記憶媒体上のコンピュータプログラム製品として実装可能である。これらの命令は、これらのプロセスのうちのいずれかを実行するようにコンピュータを制御するため、またはコンピュータにそれらを実行させるために使用可能である。例えば、コンピュータは、コンピュータによって実行されたとき、そのコンピュータに、方法３００を使用して、クーポンをモバイルデバイスに配信させる命令のセットを有するコンピュータ可読媒体を実行することが可能である。この記憶媒体は、フロッピー（登録商標）ディスク、ミニディスク（ＭＤ）、光ディスク、ＤＶＤ、ＣＤ−ＲＯＭ、マイクロドライブ、および光磁気ディスク、ＲＯＭ、ＲＡＭ、ＥＰＲＯＭ、ＥＥＰＲＯＭ、ＤＲＡＭ、ＶＲＡＭ、（フラッシュカードを含む）フラッシュメモリデバイス、磁気カードもしくは光カード、（分子記憶ＩＣを含む）ナノシステム、ＲＡＩＤデバイス、遠隔データ記憶装置／遠隔データアーカイブ／遠隔データ倉庫、あるいは命令および／もしくはデータを格納するのに適した任意のタイプの媒体またはデバイスを含めて、任意のタイプのディスクを含み得るが、これらに限定されない。
【００５８】
１つまたは複数の例示的な実施形態では、説明された機能は、ハードウェア、ソフトウェア、ファームウェア、またはそれらの任意の組合せの形で実装可能である。ソフトウェアの形実装される場合、これらの機能は、コンピュータ可読媒体上に格納可能であるか、あるいは、１つもしくは複数の命令またはコードとして、コンピュータ可読媒体上で送信可能である。コンピュータ可読媒体は、コンピュータ記憶媒体と、ある場所から別の場所へのコンピュータプログラムの転送を円滑にする任意の媒体を含む通信媒体の両方を含む。記憶媒体は、コンピュータによってアクセス可能な任意の利用可能な媒体であってよい。限定ではなく、例として、かかるコンピュータ可読媒体は、ＲＡＭ、ＲＯＭ、ＥＥＰＲＯＭ、ＣＤ−ＲＯＭもしくはその他の光ディスク記憶装置、磁気ディスク記憶装置もしくはその他の磁気記憶デバイス、あるいは所望されるプログラムコードを命令もしくはデータ構造の形で搬送または格納するために使用可能であり、コンピュータによってアクセス可能な任意のその他の媒体を備え得る。また、いずれの接続も、正確にはコンピュータ可読媒体と呼ばれる。例えば、ソフトウェアが、同軸ケーブル、光ファイバケーブル、より対線、ディジタル加入者線（ＤＳＬ）、もしくは赤外線、無線、およびマイクロ波などのワイヤレス技術を使用して、ウェブサイト、サーバ、またはその他の遠隔ソースから送信される場合、その同軸ケーブル、光ファイバケーブル、より対線、ＤＳＬ、または赤外線、無線、およびマイクロ波などのワイヤレス技術は、媒体の定義の中に含まれる。本明細書で使用される場合、ディスク（Ｄｉｓｋ）およびディスク（ｄｉｓｃ）は、コンパクトディスク（ＣＤ）と、レーザディスク（登録商標）と、光ディスクと、ディジタル多用途ディスク（ＤＶＤ）と、フロッピーディスクと、ブルーレイ（登録商標）ディスクとを含み、この場合、ディスク（ｄｉｓｋｓ）は、通常、データを磁気的に再生し、一方、ディスク（ｄｉｓｃｓ）は、レーザを用いて、データを光学的に再生する。上記の組合せも、コンピュータ可読媒体の範囲に含まれるべきである。
【００５９】
開示された例のこれまでの説明は、当業者が本発明を作ること、または本発明を使用することを可能にするために提供される。これらの例に対する様々な修正は、当業者に容易に理解されるであろう、また、本明細書で定義される一般原理は、本発明の趣旨または範囲から逸脱せずに、その他の例に適用可能である。したがって、本発明は、本明細書で示される例に限定されることが意図されず、本明細書で開示された原理および新規性のある特徴に一致する最大範囲が与えられるべきである。
以下に本願発明の当初の特許請求の範囲に記載された発明を付記する。
［Ｃ１］
目標コンテンツメッセージをモバイルデバイスに配信する方法であって、
収集された情報を作成するために、フェムトセル基地局の有効範囲領域内の企業のセットを識別することと、
前記フェムトセル基地局を介して、前記モバイルデバイスから呼確立インジケータに関する要求を受信することと、
前記収集された情報に応じて、目標コンテンツメッセージを識別することと、
前記目標コンテンツメッセージを前記呼確立インジケータの一部として前記モバイルデバイスに送信することとを備える方法。
［Ｃ２］
前記収集された情報の一部として、前記モバイルデバイスを利用している発呼者のプロファイルを識別すること
をさらに備える、Ｃ１に記載の方法。
［Ｃ３］
第１の企業が前記フェムトセル基地局を所有し、
追加の目標コンテンツメッセージを前記モバイルデバイスに送信することであって、前記追加の目標コンテンツメッセージが、前記フェムトセル基地局を所有する前記第１の企業以外の企業に関する、送信することをさらに備える、Ｃ１に記載の方法。
［Ｃ４］
目標コンテンツメッセージを識別することが、目標コンテンツメッセージのセットを作成することを含み、
前記目標コンテンツメッセージのセット内のそれぞれの目標コンテンツメッセージに関する配信優先順位を決定することをさらに備える、Ｃ３に記載の方法。
［Ｃ５］
前記目標コンテンツメッセージが、テキストメッセージの一部として、前記モバイルデバイスに送信される、Ｃ１に記載の方法。
［Ｃ６］
前記目標コンテンツメッセージが、目標コンテンツメッセージの画像を有するマルチメディアメッセージングサービスメッセージの一部として、前記モバイルデバイスに送信される、Ｃ１に記載の方法。
［Ｃ７］
目標コンテンツメッセージをモバイルデバイスに配信するための装置であって、
収集された情報を作成するために、フェムトセル基地局の有効範囲領域内の企業のセットを識別するための手段と、
前記フェムトセル基地局を介して、前記モバイルデバイスから呼確立インジケータに関する要求を受信するための手段と、
前記収集された情報に応じて、目標コンテンツメッセージを識別するための手段と、
前記目標コンテンツメッセージを前記呼確立インジケータの一部として前記モバイルデバイスに送信するための手段とを備える装置。
［Ｃ８］
前記収集された情報の一部として、前記モバイルデバイスを利用している発呼者のプロファイルを識別するための手段
をさらに備える、Ｃ７に記載の装置。
［Ｃ９］
第１の企業が前記フェムトセル基地局を所有し、
追加の目標コンテンツメッセージを前記モバイルデバイスに送信するための手段であって、前記追加の目標コンテンツメッセージが、前記フェムトセル基地局を所有する前記第１の企業以外の企業に関する、送信するための手段をさらに備える、Ｃ７に記載の装置。
［Ｃ１０］
目標コンテンツメッセージを識別することが、目標コンテンツメッセージのセットを作成することを含み、
前記目標コンテンツメッセージのセット内のそれぞれの目標コンテンツメッセージに関する配信優先順位を決定するための手段をさらに備える、Ｃ９に記載の装置。
［Ｃ１１］
前記目標コンテンツメッセージが、テキストメッセージの一部として、前記モバイルデバイスに送信される、Ｃ７に記載の装置。
［Ｃ１２］
前記目標コンテンツメッセージが、目標コンテンツメッセージの画像を有するマルチメディアメッセージングサービスメッセージの一部として、前記モバイルデバイスに送信される、Ｃ７に記載の装置。
［Ｃ１３］
目標コンテンツメッセージをモバイルデバイスに配信するための装置であって、
収集された情報を作成して、前記収集された情報に応じて、目標コンテンツメッセージを識別するために、フェムトセル基地局の有効範囲内の企業のセットを識別するように構成された識別子と、
前記フェムトセル基地局を介して、前記モバイルデバイスから呼確立インジケータに関する要求を受信するように構成され、前記呼確立インジケータの一部として、前記目標コンテンツメッセージを前記モバイルデバイスに送信するように構成されたトランシーバとを備える装置。
［Ｃ１４］
前記識別子が、前記収集された情報の一部として、前記モバイルデバイスを利用している発呼者のプロファイルを識別するようにさらに構成される、Ｃ１３に記載の装置。
［Ｃ１５］
第１の企業が前記フェムトセル基地局を所有し、前記トランシーバが、追加の目標コンテンツメッセージを前記モバイルデバイスに送信するようにさらに構成され、前記追加の目標コンテンツメッセージが、前記フェムトセル基地局を所有する前記第１の企業以外の企業に関する、Ｃ１３に記載の装置。
［Ｃ１６］
前記識別子が、目標コンテンツメッセージのセットを作成するようにさらに構成され、
前記目標コンテンツメッセージのセット内のそれぞれの目標コンテンツメッセージに関する配信優先順位を決定するための決定機をさらに備える、Ｃ１５に記載の装置。
［Ｃ１７］
前記目標コンテンツメッセージが、テキストメッセージの一部として、前記モバイルデバイスに送信される、Ｃ１３に記載の装置。
［Ｃ１８］
前記目標コンテンツメッセージが、目標コンテンツメッセージの画像を有するマルチメディアメッセージングサービスメッセージの一部として、前記モバイルデバイスに送信される、Ｃ１３に記載の装置。
［Ｃ１９］
少なくとも１つのコンピュータに、収集された情報を作成するために、フェムトセル基地局の有効範囲領域内の企業のセットを識別させるためのコードと、
少なくとも１つのコンピュータに、前記フェムトセル基地局を介して、前記モバイルデバイスから呼確立インジケータに関する要求を受信させるためのコードと、
少なくとも１つのコンピュータに、前記収集された情報に応じて、目標コンテンツメッセージ を識別させるためのコードと、
少なくとも１つのコンピュータに、前記目標コンテンツメッセージを前記呼確立インジケータの一部として前記モバイルデバイスに送信させるためのコードと
を備えたコンピュータ可読媒体を備える
コンピュータプログラム製品。
［Ｃ２０］
少なくとも１つのコンピュータに、前記収集された情報の一部として、前記モバイルデバイスを利用している発呼者のプロファイルを識別させるためのコード
をさらに備える、Ｃ１９に記載のコンピュータプログラム製品。
［Ｃ２１］
第１の企業が前記フェムトセル基地局を所有し、
少なくとも１つのコンピュータに、追加の目標コンテンツメッセージを前記モバイルデバイスに送信させるためのコードであって、前記追加の目標コンテンツメッセージが、前記フェムトセル基地局を所有する前記第１の企業以外の企業に関する、送信させるためのコードをさらに備える、Ｃ１９に記載のコンピュータプログラム製品。
［Ｃ２２］
目標コンテンツメッセージを識別することが、目標コンテンツメッセージのセットを作成することを備え、
少なくとも１つのコンピュータに、前記目標コンテンツメッセージのセット内のそれぞれの目標コンテンツメッセージに関する配信優先順位を決定させるためのコードをさらに備える、Ｃ２１に記載のコンピュータプログラム製品。
［Ｃ２３］
前記目標コンテンツメッセージが、テキストメッセージの一部として、前記モバイルデバイスに送信される、Ｃ１９に記載のコンピュータプログラム製品。
［Ｃ２４］
前記目標コンテンツメッセージが、目標コンテンツメッセージの画像を有するマルチメディアメッセージングサービスメッセージの一部として、前記モバイルデバイスに送信される、Ｃ１９に記載のコンピュータプログラム製品。
【図１】
0005972948.tif 000002
【図２】
0005972948.tif 000003
【図３】
0005972948.tif 000004
【図４】
0005972948.tif 000005
【図５】
0005972948.tif 000006
【図６】
0005972948.tif 000007